(57)【要約】人間工学的な取っ手を具備したリード（１０）は、コードまたはストラップ（１２）用の巻き取り装置を含むケーシング（１１）と、ハンドグリップ（１４）と、コードまたはストラップ（１２）を一時的に停止する、または迅速に巻き取るための装置とを備えており、該取っ手（１４）は、使用者の指の挿入を容易にするアクセス空間（１４ａ）を備えたケーシングから突出している。可能になることを特徴とするリード（１０）。
2004504040.tif 000002
【特許請求の範囲】
【請求項１】
コードまたはストラップ（１２）用の巻き取り装置と、取っ手（１４）と、前記コードまたはストラップ（１２）を一時的に停止する、また急速に巻き取るための装置とを含むケーシング（１１）を具備する人間工学的な取っ手を具備したリード（１０）であって、使用者の指の挿入を容易にするために、前記取っ手（１４）がアクセス空間（１４ａ）を備えた前記ケーシングから突出することを特徴とするリード。
【請求項２】
前記アクセス空間（１４ａ）が、前記取っ手（１４）を前記ケーシング（１１）に接続する保持器によって閉鎖されることを特徴とする請求項１に記載のリード（１０）。
【請求項３】
前記保持器がストラップ（２７）から成ることを特徴とする前出の請求項のいずれか１項に記載のリード（１０）。
【請求項４】
前記ストラップ（２７）が非剛体性の織物で製造されることを特徴とする請求項３に記載のリード（１０）。
【請求項５】
前記ストラップ（２７）を折り畳めるようにするべく、前記ストラップ（２７）が通過するように設計されたリングを備えることを特徴とする請求項３または４のいずれか１項に記載のリード（１０）。
【請求項６】
前記ストラップ（２７）がマジックテープ固定具を呈することを特徴とする請求項３、４または５のいずれか１項に記載のリード（１０）。
【請求項７】
前記ストラップ（２７）が弾性織物から成ることを特徴とする請求項３に記載のリード（１０）。
【請求項８】
前記ストラップ（２７）が、前記リード（１０）に取り付けるための少なくとも１つの結合を呈することを特徴とする請求項３に記載のリード（１０）。
【請求項９】
前記ストラップ（２７）が、前記リード（１０）に取り付けるための少なくとも１つの差し込み結合を呈することを特徴とする請求項３に記載のリード（１０）。
【請求項１０】
前記ストラップ（２７）が、スナップ結合から成る、前記リード（１０）への少なくとも１つの取り付けを呈することを特徴とする請求項７、８または９のいずれか１項に記載のリード（１０）。
【請求項１１】
前記コード（１２）が、衝撃吸収体として機能するべく設計された少なくとも１つの弾性体要素を備えることを特徴とする前出の請求項のいずれか１項に記載のリード（１０）。
【請求項１２】
前記衝撃吸収体が、一連の弾性体要素（３３）と剛性体要素（３２）が交互に配置されて成ることを特徴とする請求項１１に記載のリード（１０）。
【請求項１３】
前記取っ手が、蝶番を具備した関節継手の手段により、前記ケーシングに接続していることを特徴とする前出の請求項のいずれか１項に記載のリード（１０）。
【請求項１４】
前記関節継手が、動物によって生じたあらゆる急な引きを吸収する衝撃吸収体として機能するべく設計された戻りばねを備えていることを特徴とする請求項１３に記載のリード（１０）。
【発明の詳細な説明】
【発明の属する技術】
【０００１】
本発明は、ペットを散歩させるための人間工学的な取っ手を備えたリードに関する。
【０００２】
特に本発明は、例えば多様なサイズの犬のようなペットを散歩させるための、自動巻き取り機を備えた急な引きを停止するリードに関し、該リードは、握り易く、あらゆる状況において迅速かつ高い信頼性で停止を行うことを可能にする。
【従来の技術】
【０００３】
散歩をさせる必要があるペットは、通常、使用者が握持する巻き取り装置内部に巻き取られるために長さが変化するコードまたはストラップを備えたリードを使用して使用者が同行することが知られている。この方法では、動物は、同行している人物からある特定の距離だけ離れて自由に移動することができるため、同行している人物は急な引きに晒されることが防止される。
【０００４】
１つの欠点は、リードの取っ手が常に握り易いものではなく、時として使用者は不安定で危険な感覚を受けるという事実によって示される。
【０００５】
別の欠点は、公共の場所を散歩する際に、最新の規制は、明確な安全性の目的から、同行の人物から動物が離れることができる最大距離を遵守しなければならないと予見し、この場合、固定の長さのリード、または、動物の同行者がリードを安全に握ることができる所定の長さに停止できるものの使用が義務付けられているという事実によって示される。
【発明が解決しようとする課題】
【０００６】
本発明の目的は、容易且つ迅速に停止できる人間工学的な取っ手を具備したリードを提供することである。
【０００７】
さらに本発明は、リードを取り付けた動物を一時的にその場へ留まらせるこができるようにするために、あらゆる固定構造に容易に取り付けられるリードの提供を提案する。
【０００８】
本発明の他の目的は、動物の突然の加速または減速によって生じるあらゆる引きを吸収することができるコードを持つリードを提供することである。
【０００９】
本発明の最後であるが重要な目的は、経済的観点から見ても有利であるように製造コストを低減した、人間工学的な取っ手を具備したリードを提供することである。
【００１０】
これは、主請求項に記載された特徴を備えた人間工学的な取っ手を具備したリードの手段によって達成される。
【００１１】
従属請求項は、本発明の利点的な実施形態を示している。
【００１２】
本発明によるリードは、コードまたはストラップの巻き取り装置用のケーシングと、コードを一時的に停止し、迅速に巻き取るための装置とを備えており、また、ケーシングと一体に形成され、ケーシングから突出した取っ手によって特徴付けられ、該取っ手は、使用者の指の挿入を容易にするためのオープン空間を呈している。
【００１３】
本発明によれば、アクセス空間は、取っ手をケーシングに接続する保持器を用いて閉鎖できる。
【００１４】
アクセス空間により、使用者は、手袋を着用している際でも取っ手を迅速且つ容易に握ることが可能になる。
【００１５】
保持器により、同行の人物が離れる間、動物をその場に留まらせるために、リードをあらゆる構造物に一時的に固定することが確実にできるようになる。
【００１６】
保持器は、ストラップを折り畳んで固定することができるマジックテープの手段、またはこれ以外の適当な取り外し可能な固定手段から成る。
【００１７】
本発明のその他の特徴および利点は、図面を用いた本発明の１実施形態についての以下の説明によって明らかになるが、本発明はこの例に限るものではない。
【００１８】
【実施例】
【００１９】
図面において、参照番号１０は、人間工学的な取っ手を具備したリードを示し、この場合、リード１０はケーシング１１を備えており、ケーシングは、自由端部に装備されたコードまたはストラップ１２を動物の首輪に固定できるばね留め金１３（図２）によって巻き上げるための自動巻き上げ装置を内蔵している。
【００２０】
本発明によれば、ケーシング１１は、使用者の指を容易に挿入できるオープン空間１４ａを残す形で該ケーシング１１から突出した取っ手１４と一体に設けられている。
【００２１】
図からわかるように、取っ手１４と一体形成されたケーシング１１は２つのケーシング半片で構成されており、これらの半片は、モールディングした耐衝撃性の剛性体プラスチック材料から成り、例えば、ケーシング１１の外周部に位置決めされた横ねじ１７の手段によって相互に固定されていることが好ましい。
【００２２】
別の実施形態によれば（図には示していない）、取っ手は、関節継手の手段で取り付けられているケーシングから分離され、また、関節継手に、あらゆる衝撃または急な引きを吸収するための戻りばねを設けることもできる。
【００２３】
動物と、同行の人物の両方にとって潜在的に危険である鋭利な角を排除するために、ケーシング１１の外部形状は広い凸状範囲を呈している。
【００２４】
ケーシング１１と取っ手１４の対等に隣接した表面は、連続した曲線２０、２１を呈しており、これにより、取っ手１４の曲線２１が、使用者が安全に握れるよう人間工学的に設計されている。
【００２５】
リードの１側部には、ケーシング１１と取っ手１４を接続する部分に関連して、少なくとも１つのブレーキ押しボタン２３が設けられており、この押しボタン２３は、コード１２を或る特定の長さで停止し、またこれを解放するように設計されている。
【００２６】
コード１２は、取っ手１４と反対の側に設けた穴２４を介してケーシングから出入りする。
【００２７】
図２を参照すると、取っ手１４の突出端部２５は、ストラップ２７の手段によって、関連するケーシング１１の突出部２６に接続されることを特筆できる。
【００２８】
ストラップ２７はリード１０に一時的に固定することができ、これにより、同行の人物が一時的にいなくなる間、動物をその場に留まらせておくための停止手段が構成される。
【００２９】
本発明の第１実施形態によれば、ストラップ２７を突出部２６に取り付けたリングに通し、ストラップ２７の自由端部がリード１０の外部に向くようにしている。
【００３０】
これにより、この自由端部を、例えばマジックテープのような手段によって、ストラップ２７の中心部分に取り付けることができる。
【００３１】
或る応用形によれば、ストラップ２７を、使用者の手および／または指のサイズに合うように、弾性度の高い織物で製造することができる。
【００３２】
この場合、ストラップ２７は取っ手２４の端部２５に（例えば、固定継手の手段により）固定され、突出部２６のハウジング内に挿入された差し込み接続の手段によって、ケーシング１１の突出部２６に取り付けられる。
【００３３】
別の応用形によれば、やはりケーシング１１に取り外し可能に固定する手段であるストラップ２７は、これを取っ手１４の端部２５に取り付けるスナップ結合を呈する。
【００３４】
図２を参照すると、コード１２のばねクリップ１３付近の部分が、動物の歩く速度が突然加速または減速したことにより生じるあらゆる急な引きへの衝撃吸収体として機能するべく設計された、一連の弾性体要素３３と剛性体要素３２が交互に配置されている状態を見ることができる。
【００３５】
別の実施形態によれば、あらゆる場合において、コード１２には、動物の突然の引っ張りによって生じた圧力を吸収できる少なくとも１つの弾性体要素が装備されている。
【００３６】
本発明によるリード１０は、事前に提示した目的を全て満たすことができ、特に、アクセス範囲１４ａによって、使用者は取っ手を急速且つ安全に握ることができる旨が理解される。
【００３７】
動物をその場に留まらせておくために、リード１０を、ストラップ２７によって、あらゆる固定された構造物に一時的に取り付けることが可能になる。
【００３８】
さらに、コードと一体に設けた、弾性体要素から成る衝撃吸収体によって、使用者は動物の散歩中に急な引きを体験することがなくなる。
【００３９】
上述した本発明は、その優先的な実施形態を参照している。
【００４０】
けれども本発明は、その目的によって網羅される様々な応用形の全てを、機械的に等価な枠組みの中に容易に実現する。
【００４１】
例証の方法により、図示していない別の実施形態によれば、本発明のリードの取っ手は、この説明中により詳細に記述している通りに底部ではなく、頂部が開口している。
【図面の簡単な説明】
【図１】本発明による人間工学的な取っ手を具備したリードの側部立面図である。
【図２】コードを部分的に巻き戻した状態にあるリードの透視図である。
【国際公開パンフレット】
2004504040.tif 000003
2004504040.tif 000004
2004504040.tif 000005
2004504040.tif 000006
2004504040.tif 000007
2004504040.tif 000008
2004504040.tif 000009
2004504040.tif 000010
2004504040.tif 000011
2004504040.tif 000012
2004504040.tif 000013
【手続補正書】
【提出日】平成14年7月26日(2002.7.26)
【手続補正１】
【補正対象書類名】明細書
【補正対象項目名】特許請求の範囲
【補正方法】変更
【補正の内容】
【特許請求の範囲】
【請求項１】
人間工学的な取っ手を具備したリード（１０）は、コードまたはストラップ（１２）の巻き上げ装置と、取っ手（１４）と、前記コードまたはストラップ（１２）を一時的に停止し、迅速に巻き取る装置とを含むケーシング（１１）を備え、ここで、前記取っ手（１４）が、使用者の指を容易に挿入するためのアクセス空間（１４ａ）を設けた前記ケーシングから突出し、前記取っ手（１４）の１端を前記ケーシング（１１）に接続する保持器（２７）をさらに備え、前記保持器により、前記アクセス空間を調整可能な方法で閉鎖することが可能になることを特徴とするリード（１０）。
【請求項２】
前記保持器がストラップ（２７）から成ることを特徴とする前出の請求項１に記載のリード（１０）。
【請求項３】
前記ストラップ（２７）が非剛体性の織物で製造されることを特徴とする請求項２に記載のリード（１０）。
【請求項４】
前記ストラップ（２７）を折り畳めるようにするべく、前記ストラップ（２７）が通過するように設計されたリングを備えることを特徴とする請求項２または３のいずれか１項に記載のリード（１０）。
【請求項５】
前記ストラップ（２７）がマジックテープ固定具を備えることを特徴とする請求項２、３または４のいずれか１項に記載のリード（１０）。
【請求項６】
前記ストラップ（２７）が弾性織物から成ることを特徴とする請求項２に記載のリード（１０）。
【請求項７】
前記ストラップ（２７）が、前記リード（１０）に取り付けるための少なくとも１つの結合を備えることを特徴とする請求項２に記載のリード（１０）。
【請求項８】
前記ストラップ（２７）が、前記リード（１０）に取り付けるための少なくとも１つの差し込み結合を備えることを特徴とする請求項２に記載のリード（１０）。
【請求項９】
前記ストラップ（２７）が、スナップ結合から成る、前記リード（１０）への少なくとも１つの取り付けを備えることを特徴とする請求項６、７または８のいずれか１項に記載のリード（１０）。
【請求項１０】
前記コード（１２）が、衝撃吸収体として機能するべく設計された少なくとも１つの弾性体要素を備えることを特徴とする前出の請求項のいずれか１項に記載のリード（１０）。
【請求項１１】
前記衝撃吸収体が、一連の弾性体要素（３３）と剛性体要素（３２）が交互に配置されて成ることを特徴とする請求項１０に記載のリード（１０）。
【請求項１２】
前記取っ手が、蝶番を具備した関節継手の手段により、前記ケーシングに接続していることを特徴とする前出の請求項のいずれか１項に記載のリード（１０）。
【請求項１３】
前記関節継手が、動物によって生じたあらゆる急な引きを吸収する衝撃吸収体として機能するべく設計された戻りばねを備えていることを特徴とする請求項１２に記載のリード（１０）。
【手続補正２】
【補正対象書類名】明細書
【補正対象項目名】０００５
【補正方法】変更
【補正の内容】
【０００５】
別の欠点は、公共の場所を散歩する際に、最新の規制は、明確な安全性の目的から、同行の人物から動物が離れることができる最大距離を遵守しなければならないと予見し、この場合、固定の長さのリード、または、動物の同行者がリードを安全に握ることができる所定の長さに停止できるものの使用が義務付けられているという事実によって示される。
明細書ＤＥ−Ｕ−８５２７７８０は、取っ手内に直接配置し、取っ手の独立部分と接続したばねに基づいた開口システムを備えるリードについて記述している。
該開口システムは、取っ手上に位置決めされており、いくつかの固定要素へのリードの固定および停止を可能にする。ＤＥ−Ｕ−８５２７７８０による開口システムは、特にねじれ力または横断力に伴う取っ手の構造における危険な弱点を特定している。これにより、指または手の皮膚の或る部分が取っ手の構成要素間、あるいは直接接続されたばね間で圧迫されると、握りの欠落、または手への怪我さえ招く可能性があるため、これは重大な欠点である。
明細書ＤＥ−Ａ−２０００３７４０は、コードまたはストラップ用の巻き上げ装置を備えたリードについて記述しており、ここでは、リードケースとコード上に位置決めされたキャップとの間に設けた緩衝要素を特徴としている。
明細書ＵＳ−Ａ−６００３４７２は、一体型の照明を備えた格納式の引き綱について記述している。
明細書ＤＥ−Ｕ−８６２１４６５は、衛生バッグ用の収納空間を備えたリードについて記述している。該明細書の図１、図２では、１巻の衛生バッグを収容する中空の取っ手を具備したリードケースを備えた、実施形態の特定的な形態が示されている。
明細書ＣＨ−Ａ−５３６０６４は、長さを規制でき、動物がリードを持つ人物に関連してある程度の自由を以って移動できるリードについて記述している。
ＣＨ−Ａ−５３６０６４によれば、引き綱のコードは、取っ手内部に収容され、ばねの作用下で機能するドラム周囲に巻着し、コードの長さは、コードに作用する固定装置の手段によって規制される。




【国際調査報告】
2004504040.tif 000014
2004504040.tif 000015
2004504040.tif 000016